(57)【特許請求の範囲】
【請求項１】
導電性金属板から成る断面上向き開口コ字状の地レールと、同じく導電性金属板から成る断面下向き開口コ字状の天レールと、前記地レール及び天レールの外面に重なるように配置された表裏の壁パネルとを有しており、
前記表裏の壁パネルのうちいずれか一方の壁パネルと天レール及び地レールとの相互間に跨がるように導電性粘着テープを貼ることにより、当該一方の壁パネルと天レール及び地レールとの間の隙間を電磁シールドしている、
電磁波シールド壁。
【請求項２】
前記壁パネルは金属板から成る表面板を備えており、前記表面板の上端と下端とに前記天レール及び地レールの外面に重なる折り曲げ部をそれぞれ形成しており、かつ、上端の折り曲げ部には前記天レールの下方に露出するはみ出し部が設けられて、下端の折り曲げ部には前記地レールの上方に露出するはみ出し部が設けられており、前記上下のはみ出し部はそれぞれ金属板から成っていてこれら上下のはみ出し部と天レール及び地レールとの相互間に跨がった状態で前記導電性粘着テープが張られている、
請求項１に記載した電磁波シールド壁。
【請求項３】
前記天レールと地レールとの間に、前記表裏壁パネルの側端部に沿って延びる支柱が配置されており、前記一方の壁パネルの内面と支柱との相互間に跨がるように導電性粘着テープを貼っている、
請求項１又は２に記載した電磁波シールド壁。
【発明の詳細な説明】
【０００１】
【発明の属する技術分野】
本発明は、電磁波シールド壁に関するものである。
【０００２】
【従来の技術】
建物のフロアーを電磁波シールド壁（以下、「シールド壁」と称する）で仕切ることにより、フロアーの全体又は一部を、複数の電磁波シールド室（以下、「シールド室」と称する）に区画された電磁波シールド空間となすことが行われている。
【０００３】
このシールド室を構成するシールド壁は、一般に複数枚の壁パネルで構成されている。そして、電磁波は隙間があると通り抜ける性質があるため、壁パネル自体のシールド性に加えて、壁の周囲の箇所でのシールド性も確保する必要がある。
【０００４】
壁パネル自体のシールド性確保については様々の提案がなされているが、経済性の点から、一般には、スチール板のような導電性金属板で全面を覆うことによって対処している。
【０００５】
他方、壁パネルの周囲の箇所でのシールドのうち壁パネルの側縁箇所でのシールド手段として、例えば実公平７−３５４３７号公報や特開昭５９−１５５１９８号公報には、表裏壁パネルの縁部で支柱を表裏から挟むように構成した壁において、隣合った壁パネルの裏面と支柱との間に導電性部材（シールド材）を挟み込むことが記載されている。
【０００６】
他方、壁パネルの上端縁の箇所でのシールド手段として、例えば実開平１−６５１９６号公報の第２０図には、壁パネルの表面を構成する導電性板材の上端縁に、天井パネルの板材に重なる重合部を一体に設け、壁パネルにおける板材の重合部を天井パネルの板材にねじで締結することが記載されている。
【０００７】
また、壁パネルの下端部でのシールド手段として、特開平８−１０７２８７号公報の図６には、上向きに開口した土台（地レール）に壁パネルの下部を嵌め入れた場合において、シールド室の床面全体に張った銅箔の周縁を土台の下面から外側に引き出して、これを土台の内側面に巻き込むことが記載されている。
【０００８】
【発明が解決しようとする課題】
シールド室を構築するに当たっては、電磁波のシールド性を確保することに加えて、構成部材の製造容易性、組立作業の容易性、或いは構造的な強度が要請される。
【０００９】
しかるに、前記実開平１−６５１９６号公報のように、壁パネルを構成する導電性板材の上端縁に、天井パネルに対する重合部を一体に設ける構成では、それだけ壁パネル及び天井パネルの構造が複雑化するばかりか、組立作業にも手間がかかるという問題があった。
【００１０】
他方、特開平８−１０７２８７号公報のように、シールド室の床全体に張った銅箔を土台（地レール）に巻き込むことによって壁パネルの下端縁の箇所でのシールドを図る手段では、壁パネルの構造のシンプル化には貢献できるが、先に銅箔を貼ってから土台の取付けと壁パネルの取付けとを行わなければならないため施工工程が制限され、しかも、作業中に銅箔が破れないように慎重に作業をしなければならず、このため組立作業の能率が悪いという問題があった。また、銅箔と壁パネルとの間に隙間が生じるとシールド性が不完全になる虞もあった。
【００１１】
ところで、一般の間仕切壁では、天レールと地レールとを予め配置して、これら天地レールの間に壁パネルを取付けていくことによって組立作業の能率アップが図られており、シールド室においても、前記した特開昭５９−１５５１９８号公報には、天レールと地レールとに壁パネルを嵌め込むことが記載されている。しかし、この特開昭５９−１５５１９８号公報には、壁パネルと天レール及び地レールとの隙間のシールド手段については何ら開示・示唆されていない。
【００１２】
本発明は、天レールと地レールとを使用してシールド壁を構築することによる利点を損なうことなく、シールド性を確保することを目的とするものである。
【００１３】
【課題を解決するための手段】
本願の請求項１の発明に係る電磁波シールド壁は、導電性金属板から成る断面上向き開口コ字状の地レールと、同じく導電性金属板から成る断面下向き開口コ字状の天レールと、前記地レール及び天レールの外面に重なるように配置された表裏の壁パネルとを有しており、前記表裏の壁パネルのうちいずれか一方の壁パネルと天レール及び地レールとの相互間に跨がるように導電性粘着テープを貼ることにより、当該一方の壁パネルと天レール及び地レールとの間の隙間を電磁シールドしている。
【００１４】
【００１５】
【００１６】
【００１７】
請求項２の発明は請求項１の発明をより具体化したもので、この発明では、前記壁パネルは金属板から成る表面板を備えており、前記表面板の上端と下端とに前記天レール及び地レールの外面に重なる折り曲げ部をそれぞれ形成しており、かつ、上端の折り曲げ部には前記天レールの下方に露出するはみ出し部が設けられて、下端の折り曲げ部には前記地レールの上方に露出するはみ出し部が設けられており、前記上下のはみ出し部はそれぞれ金属板から成っていてこれら上下のはみ出し部と天レール及び地レールとの相互間に跨がった状態で前記導電性粘着テープが張られている。
【００１８】
請求項３の発明は請求項１又は３の発明を更に具体化したもので、この発明では、前記天レールと地レールとの間に、前記表裏壁パネルの側端部に沿って延びる支柱が配置されており、前記一方の壁パネルの内面と支柱との相互間に跨がるように導電性粘着テープを貼っている。
【００１９】
なお、本発明では接着と粘着とは峻別しておらず、従って、導電性粘着テープは引き剥がし自在でも良いし、強固に固着されていても良い。また、導電性粘着テープは導電性粘着シートと同義である。
【００２０】
【発明の実施形態】
次に、本発明の実施形態を図面に基づいて説明する。
【００２１】
≪全体の概要≫
図１〜図１４では主たる実施形態を示しており、このうち図１は外壁１で囲われたフロアーの概略平面図、図２はフロアー内部の部分的な斜視図である。これら図１及び図２に示すように、１つのフロアーはシールド壁２で仕切ることによって複数のシールド室に区画されており、各シールド室にはドア３を設けている。
【００２２】
図２に示すように、シールド壁２は、遮光性壁パネル４から成る部分と、ガラス板５を備えた透光性壁パネル６から成る部分とを備えている。実施形態の透光性壁パネル６はそのほぼ全面がガラス板５から成っているが、一部のみにガラス窓を設けたタイプなど、必要に応じて様々に設定できる。また、ガラス板以外の透明又は半透明板を設けても良い。
【００２３】
≪遮光性壁パネル≫
先ず、遮光性壁パネル４から成るシールド壁２の構造を、図３〜図６（Ａ）に基づいて説明する。図３のうち（Ａ）は図２を矢印Ａ方向から見た部分正面図、（Ｂ）は（Ａ）のＢ−Ｂ視断面図、図４は図３（Ａ）のIV−IV視断面図、図５は遮光性壁パネル４の取付け状態を示す図、図６（Ａ）は図２のVI−VI視断面図である。
【００２４】
図３（Ｂ）や図６（Ａ）に示すように、シールド室の床７の全面に、亜鉛メッキ鋼板のような導電性素材から成る床シールド板８が貼設されており、床シールド板８に、スチール製等の導電製金属板で断面上向き開口コ字状に形成された地レール（地枠体）９を重ね合わせ、これをアンカーボルトで基礎床７に固定して、両者を電気的に導通させている。
【００２５】
地レール９と床シールド板８との間には、床面の凹凸や地レール９の加工誤差等を吸収してシールド性を確保するため、薄い導電性ガスケット１０が挟み込まれている。
【００２６】
なお、基礎床７はコンクリート製でも良いし、二重床（アクセスフロアー）のような嵩上げ式床でも良いし、更に、コンクリート床に単に床材を張ったものでも良い。シールド室の内外の基礎床７にはそれぞれ床材１１，１２が貼られている。いずれにしても、シールド室の床は、地レール９と電気的に導通する導電性材料が全面にわたって貼設されている。
【００２７】
地レール９の上方には下向きに開口した断面コ字状の天レール（天枠体）１３が配置されており、天レール１３と地レール９との間に、金属板からなる支柱１４を所定間隔で立設し、天地レール１３，９と２本の支柱１４とで囲われた部位を１つの単位として、各単位ごとに表裏２枚ずつの遮光性壁パネル４を配置している。
【００２８】
図４に示すように、支柱１４は断面Ｃ字状に形成されており、支柱１４の下部には、アジャスターボルト１５を備えた脚１６が下方から挿入されている。また、支柱１４の上端部には上金具１７が挿入されており、上金具１７は、天レール１３に突っ張らせた状態で、ねじ（図示せず）で支柱１４に固定されている。
【００２９】
なお、図示していないが、天地レール１３，９と支柱１４とは、導電性粘着テープや導電性ガスケット等を介して互いに密着させることにより、両者の間の導電性（シールド性）を高めている。
【００３０】
遮光性壁パネル４は、亜鉛メッキ鋼板等の導電性金属板からなる表面板１８に石膏ボード等の芯材１９を接着した構造になっている。表面板１８の上下両端縁には、それぞれ天レール１３と地レール９との外面に重なる折り曲げ部１８ａが形成されており、表面板１８の左右両側部には、例えば図４に示すように、支柱１４の表面に当接する平断面Ｕ字状の折り曲げ部２０が形成されている。
【００３１】
そして、左右に隣合った遮光性壁パネル４における左右の折り曲げ部２０を、平面視コ字状の押さえ金具２１及びタッピンねじ等のねじ２２で支柱１４に押さえ付けることにより、折り曲げ部２０を支柱１４に密着させている。押さえ金具２１は上下に適当な間隔で複数個配置されている。左右に隣合った遮光性壁パネル４の間にできた溝には、その全長にわたって延びる導電性目地カバー２３が嵌め込まれている。
【００３２】
図３や図５に示すように、遮光性壁パネル４における折り曲げ部２０の下端部は切欠かれており、この切欠き部２４を、支柱１４にねじで固定した支持金具２５で支持することにより、遮光性壁パネル４を落下不能に保持している。
【００３３】
図３（Ｂ）や図６（Ａ）に示すように、天井２６には、金属板や金属メッシュ、導電性繊維等のような導電性素材からなる天井シールド材２７が全面にわたって張られており、天レール１３は、タッピンねじ等のねじ２８によって天井２６に固定されている。天レール１３と天井シールド材２７との間に導電性ガスケット２９を挟み込んで、両者の電気的一体性を確実化している、なお、天井２６はコンクリート等の直天井によって構成されていても良いし、直天井との間に隙間を空けた状態で配置された天井パネルによって構成されていても良い。
【００３４】
いずれにしても、シールド室の天井部も全面に電磁遮蔽材が設けられて、天レール１３と電気的に一体化されている。
【００３５】
図６（Ａ）に示すように、一方の遮光性壁パネル４の上部と下部との内面には、その全幅にわたって導電性粘着テープ３０が貼着されている。導電性粘着テープ３０は、表面板１８と心材１９とに跨がった状態に貼られており、天レール１３の下方及び地レール９の上方にはみ出た状態に貼られている。
【００３６】
更に、一方の遮光性壁パネル４の上部内面と天レール１３との相互間、及び、一方の遮光性壁パネル４の下部内面と地レール９との相互間に跨がった状態でそれぞれ導電性粘着テープ３０が貼られており、これにより、内側の遮光性壁パネル４と天地レール１３，９との隙間が目張りされて、電気的に一体化されている。
【００３７】
この場合、先に遮光性壁パネル４の内面に貼られている導電性粘着テープ３０と、後から目張りのために貼られた導電性粘着テープ３０は、天地レール１３の下方及び地レール９の上方で互いに重なり合っている。これにより、一層のシールド性が確保される。
【００３８】
図４に示すように、導電性粘着テープ３０の左右両端は支柱１４に接着（貼着）されている。請求項３の具体例として、支柱１４と内側の遮光性壁パネル４との相互間に跨がった状態で導電性粘着テープ３０を貼着してもよく、このようにすると、支柱１４と遮光性壁パネル４との間のシールドがより確実になる。
【００３９】
２枚の遮光性壁パネル４を取り付けるに当たっては、まず、上下両端部の内面に導電性粘着テープ３０が貼着された一方の遮光性壁パネル４を取付けてから、一方の遮光性壁パネル４の内面と天地レール１３，９との相互間に導電性粘着テープ３０を貼って目張りをし、それから他方の遮光性壁パネル４を取り付ける。導電性粘着テープ３０は壁の外側には露出しないため美観を損なうことはなく、また、市販の導電性粘着テープ３０を貼るだけであるため、作業もごく簡単に行うことができる。
【００４０】
壁パネル４と天地レール１３，９との間のシールド手段としては、図６の分図（Ｂ）〜（Ｄ）に示すようにしても良い。
【００４１】
このうち図６（Ｂ）（Ｃ）では、遮光性壁パネル４における表面板１８の上下に天地レール１３，９と重なる折り曲げ部１８ａを形成するにおいて、上部の折り曲げ部１８ａには、天レール１３の下方に露出するはみ出し部１８ａ′を、下部の折り曲げ部１８ａには地レール９の上方に露出するはみ出し部１８ａ′をそれぞれ形成し、一方の遮光性壁パネル４における上下はみ出し部１８ａ′と天地レール１３，９との相互間に跨がった状態で導電性粘着テープ３０を貼着している。
【００４２】
他方、図６（Ｄ）では、表面板１８の折り曲げ部１８ａに、金属板等の導電板を貼着することによってはみ出し部１８ａ′となしている。この場合、別部材から成るはみ出し部１８ａ′は、導電性の両面粘着テープ１８ｂで折り曲げ部１８ａに貼着しているが、導電性粘着剤などの他の導電性材料を使用しても良い。
【００４３】
これら図６（Ｂ）〜（Ｄ）のように折り曲げ部１８ａにはみ出し部１８ａ′を設けると、遮光性壁パネル４の表面板１８と天地レール１３，９とが電気的に一体化するため、シールド性をより向上させることができる利点がある。（Ｄ）のように別部材によってはみ出し部１８ａ′を構成すると、既存の壁パネルにも簡単に適用できる利点がある。
【００４４】
≪透光性壁パネル≫
次に、透光性壁パネル６について、図７〜図１０に基づいて説明する。図７は図２の VII-VII視断面図、図８は図２の VIII-VIII視断面図、図９は透光性壁パネル６を構成する上下枠材の分離斜視図、図１０は取付け状態の一部を示す分離断面図である。
【００４５】
これらの図に示すように、透光性壁パネル６は、その上下部を構成する水平枠材３１，３２と、左右側部を構成する一つの縦枠材３３とから成る額縁状のフレーム３４とを備えており、各枠材３１，３２，３３に、シールド室の内側に臨む段部３５を形成し、この段部３５にガラス５を嵌め込み、ガラス板５を、段部３５に嵌め込んだ押さえ枠３６で固定している。押さえ枠３６はタッピンねじ３７でフレーム３４に固定されている。
【００４６】
ガラス板５は、その片面又は両面にメッシュ状導電膜３８を貼る等の電磁波シールド加工が施されており、押さえ枠３６とガラス板５の周縁部との間には、導電膜３８と密着する導電性ガスケット３９を挟み込んでいる。なお、図１０に示す符号４０はクッション材、図７や図８で示す符号４１はコーキング剤である。
【００４７】
フレーム３４における上水平枠材３１は上向きに開口したチャンネル状の断面形状になっており、天レール１３に被さる状態で嵌合している。下水平枠材３２は下向きに開口したチャンネル状の断面形状に形成されており、地レール９に被さる状態で嵌合している。
【００４８】
図８や図１０に示すように、地レール９の内部に、脚４１付きのアジャスタボルト４２で高さ調節自在に支持された断面下向き開口コ字状の受け部材４３を嵌入し、この受け部材４３で下水平枠材３２を支持している（受け部材４３は、下水平枠材３２の全長にわたって延びている。）。
【００４９】
そして、受け部材４３の上面と地レール９の外面とに跨がった状態で導電性粘着テープ３０を貼着している。図では、導電性粘着テープ３０は地レール９の片面にしか貼着されていないが、地レール９の両面に跨がる状態で貼着しても良い。
【００５０】
更に、上下水平枠材３１，３２における開口縁の内面に導電性ガスケット４４を接着し、これを天レール１３及び地レール９に密着させている。下水平枠材３２に設けたガスケット４４は、受け部材４３と地レール９とに貼着されている導電性粘着テープ３０に重なり合っている。
【００５１】
導電性ガスケット４４は押さえると縮むように弾性を持っており、図９及び図１０に示すように、自由状態では上下水平枠材３１，３２の開口縁から内側にはみ出る寸法になっている。そして、導電性ガスケット４４を圧縮させた状態で上下水平枠材３１，３２を天レール１３及び地レール９に嵌合させている。このため、天地レール１３，９と上下水平枠材３１，３２との間のシールドが確実になるばかりか、透光性壁パネル６のガタ付きもなくすことができる。
【００５２】
特に、下方の導電性ガスケット４４を、地レール９と受け部材４３とに跨がって貼着された導電性粘着テープ３０に重ね合わせると、シールド性が一層向上する。なお、図８に一点鎖線で示すように、天レール１３の内部に、ボルト（図示せず）によって上水平枠材１３に突っ張り勝手にされている押さえ部材４５を設け、押さえ部材４５と天レール１３とに跨がった状態で導電性粘着テープを貼着し、この導電性粘着テープを上水平枠材３１に当てても良く、こうすると、透光性壁パネル６の上下の箇所でのシールド性をらより向上させることができる。
【００５３】
図７に示すように、フレーム３４の左右縦枠材３３は支柱１４に被さる状態で嵌合するチャンネル状になっており、その開口縁に、透光性壁パネル６の場合と同様に平断面Ｕ字状の折り曲げ部２０を上下略全長にわたって形成し、隣り合った縦枠３３の折り曲げ部２０を押さえ金具２１で固定し、目地カバー２３によって支柱１４に押さえ固定することにより、支柱１４と透光性壁パネル６との間の隙間をシールドしている。
【００５４】
言うまでもないが、透光性壁パネル６と遮光性壁パネル４とを左右に並設する場合は、隣合った透光性壁パネル６と遮光性壁パネル４の折り曲げ部２０を押さえ金具２１で支柱１４に固定することになる。
【００５５】
≪ドア部≫
次に、ドア部の構造を図１１〜図１３に基づいて説明する。図１１は図２のXI-XI 視断面図、図１２は図２のXII-XII 視断面図、図１３は図２の XIII-XIII視断面図である。
【００５６】
ドア３は、ペーパーコア等の心材４６を金属板製の表面板４６で囲った構造になっており、図１２に示す蝶番４８によって回動自在に取付けられている。ドアの左右両端面には、導電性素材からなる端板４９を固着している。
【００５７】
図１１及び図１２に示すように、支柱１４に嵌合させたドア縦枠５０に戸当たり５０ａを設けて、この戸当たり５０ａに、表面板４７及び端板４９に接触する導電性ガスケット５１をそれぞれ設けることにより、ドア３の左右側縁箇所でのシールド性を確保している。ドア縦枠５０も支柱１４に嵌合するチャンネル状に形成されており、折り曲げ部２０が形成されている。
【００５８】
図１３に示すように、シールド室の入り口の床には、床シールド板８に重なるドア下枠５２が固定されており、ドア下枠５２に設けた靴ずり部５２ａに、ドア３の下端縁が当たる導電性ガスケット５１を装着し、これにより、ドア３の下端部でのシールド性を確保している。ドア下枠５２と床シールド板８とは、導電性ガスケット５４によって導通が確実ならしめられている。
【００５９】
ドア３の上方には、左右のドア縦枠５０の上端間に固定されたドア上枠５５が配置されている。ドア上枠５５は、左右の支柱１４に装架された横桟５６に下方から被嵌するように金属板でチャンネル状に形成されており、下面には戸当たり５５ａを形成し、これに、ドア３の上端部が当たる導電性ガスケット５１を取付けている。また、透光性壁パネル６の上水平枠３１，３２と同様に、開口縁の内面に加圧圧縮性の導電性ガスケット４４を取付けている。
【００６０】
ドア上枠５５と天レール１３との間には、内外一対のランマパネル５７が配置されている。ランマパネル５７は基本的には遮光性壁パネル４と同じ構造であり、心材１９と表面板１８とで構成されている。また、一方のランマパネル５７の上部及び下部の内面に予め導電性粘着テープ３０が貼られており、更に、一方のランマパネル５７の内面と天レール１３及び横桟５６との相互間に跨がった状態で導電性粘着テープ３０が貼られている。
【００６１】
≪外壁との接合部のシールド≫
図１４は、シールド壁２と外壁１との間のシールド構造を示す断面図である。外壁１の内面には、金属板のような導電性薄素材から成る薄い壁シールド材５８が接着やねじ止め等の適宜手段で張られており、外壁１に導電性ガスケット５９を介して重ね合わせたエンドカバー６０に外壁１の端部をはめ込んでいる。
【００６２】
エンドカバー６０はスチールのような金属板製であり、ねじ（アンカー）で外壁１に固定されている。エンドカバー６０の先端縁は内側に折り返されており、折り返し部よりも裏側の内面に導電性ガスケット６１を貼着しておき、これを遮光性壁パネル４の表面板１８に密着させることにより、シールド壁２とエンドカバー７３との間のシールド性を確保している。
【００６３】
図示の例では、シールド壁２は遮光性壁パネル４で構成されているが、透光性壁パネル６で構成しても良いことは言うまでもない。
【００６４】
≪変形例≫
図１５〜図１６では他の実施形態を示している。この例は、フロアーに独立してシールド室を設けた例であり、図１５は正面図、図１６は図１５の XVI-XVI視断面図である。この実施形態では、シールド室を床パネル６３の上に設置している。床パネル６３の上面には亜鉛メッキ鋼板等の床シールド板８が張られている。
【００６５】
このように構成すると、シールド室は床を含めた全体が一つのユニットとなるため、建物の基礎床には特段の加工を施す必要がなくなり、その結果、設置作業及び撤去作業を簡単にできる利点がある。なお、一般に、床シールド板８はカーペットや絨毯などで覆われる。
【００６６】
【発明の作用・効果】
本願発明は、天レールと地レールとの間に壁パネルを配置することによってシールド壁を構成するものであるため、シールド壁の組み立て作業を容易に行うことができ、しかも、導電性粘着テープで目張りする簡単な作業により、壁パネルの周囲の箇所でのシールドを行うことができる。したがって、組立が容易なシールド壁でありながら、高い電磁波シールド性を確保することができる。
【００６７】
【００６８】
また、市販の導電性粘着テープを使用して低コストでしかも素早く目張り作業を行うことができ、更に、導電性粘着テープは壁の内部に隠れているため、美感が悪化することもない。
請求項２の発明では、はみ出し部が壁パネルとは別の部材から成っているため、既存の壁パネルにも簡単に適用できる利点がある。
【図面の簡単な説明】
【図１】電磁波シールド空間の平面図である。
【図２】電磁波シールド空間の部分斜視図である。
【図３】（Ａ）は図２を矢印Ａ方向から見た部分正面図、（Ｂ）は（Ａ）のＢ−Ｂ視断面図である。
【図４】図２及び図３（Ａ）のIV−IV視断面図である。
【図５】遮光性壁パネルの取付け状態を示す断面図である。
【図６】（Ａ）は図２のVI−VI視断面図、（Ｂ）〜（Ｄ）は変形例を示す図である。
【図７】図２の VII-VII視断面図である。
【図８】図２の VIII-VIII視断面図である。
【図９】透光性壁パネルのフレームの分離斜視図である。
【図10】透光性壁パネルの下部の分離断面図である。
【図11】図２のXI−XI視断面図である。
【図12】図２のXII-XII 視断面図である。
【図13】図２の XIII-XIII視断面図である。
【図14】シールド壁と外壁との接合箇所の平断面図である。
【図15】他の例のシールド室の正面図である。
【図16】図１５の XVI-XVI視断面図である。
【符号の簡単な説明】
１  外壁
２  シールド壁
４  遮光性壁パネル
５  ガラス板
６  透光性壁パネル
９  地レール
１３  天レール
１８  表面板
１８ａ  折り曲げ部
１８ａ′  はみ出し部
２０  折り曲げ部
３０  導電性粘着テープ
３１，３２，３３  透光性壁パネルを構成する枠材
３６  押さえ枠
４４  導電性ガスケット
【図１】
0004286391.tif 000002
【図２】
0004286391.tif 000003
【図３】
0004286391.tif 000004
【図４】
0004286391.tif 000005
【図５】
0004286391.tif 000006
【図６】
0004286391.tif 000007
【図７】
0004286391.tif 000008
【図８】
0004286391.tif 000009
【図９】
0004286391.tif 000010
【図１０】
0004286391.tif 000011
【図１１】
0004286391.tif 000012
【図１２】
0004286391.tif 000013
【図１３】
0004286391.tif 000014
【図１４】
0004286391.tif 000015
【図１５】
0004286391.tif 000016
【図１６】
0004286391.tif 000017